(57)【要約】【課題】Ｌ型端子が誤って接続されるのを確実に防止することができ、導通検査の信頼性及び作業効率の向上が図れるストレート型端子用の導通検査治具を提供する。【解決手段】このストレート型端子用の導通検査治具３１では、Ｌ型端子に対する誤接続防止用のカバー部材３６が設けられている。ストレート型端子１をタブ端子３５に接続する場合には、ストレート型端子１のカバー部材３６の枠部３７内への挿入及びタブ端子３５との嵌合接続が許容される一方、Ｌ型端子を誤ってタブ端子３５に接続しようとした場合には、Ｌ型端子の嵌合接続部である先端部に対して直角方向に設けられるその圧着部又はその圧着部に圧着された電線に枠部３７の上端部が当接し、それによってＬ型端子の枠部３７内へのタブ端子３５と嵌合接続し得る位置までの挿入が阻害される。【選択図】　　　　図３
2004061275.tif 000002
【特許請求の範囲】
【請求項１】
先端部の接続構造が互いに共通するストレート型端子とＬ型端子とが、互いに近接して設けられるハーネス端部にそれぞれ接続されているワイヤハーネスに対して導通検査を行う際に用いられるストレート型端子用の導通検査治具であって、
所定の基台部材に取り付けられる取付板と、
前記取付板に固定され、前記ストレート型端子の前記先端部と嵌合接続される端子部と、
前記取付板に固定され、前記端子部の周囲四方のうちの、仮に前記Ｌ型端子を前記端子部に接続しようとした場合における前記Ｌ型端子から延設される電線の延設方向を少なくとも外囲するように前記端子部の上方に向かって延設された枠部を有するカバー部材と、
を備え、
前記ストレート型端子を前記端子部に接続する場合には、前記ストレート型端子の前記枠部内への前記端子部と嵌合接続し得る位置までの挿入が許容される一方、前記Ｌ型端子を誤って前記端子部に接続しようとした場合には、前記Ｌ型端子の前記先端部に対して略直角方向に延設される前記電線が圧着されるその圧着部又はその圧着部に圧着された前記電線に前記枠部の上端部が当接し、それによって前記Ｌ型端子の前記枠部内への前記端子部と嵌合接続し得る位置までの挿入が阻害されることを特徴とするストレート型端子用の導通検査治具。
【請求項２】
請求項１に記載のストレート型端子用の導通検査治具において、
前記カバー部材の前記枠部は、前記端子部の周囲四方のうちの三方を外囲していることを特徴とているストレート型端子用の導通検査治具。
【発明の詳細な説明】
【０００１】
【発明の属する技術分野】
本発明は、先端部の接続構造が互いに共通するストレート型端子とＬ型端子とが、互いに近接して設けられるハーネス端部にそれぞれ接続されているワイヤハーネスに対して導通検査を行う際に用いられるストレート型端子用の導通検査治具に関するものである。
【０００２】
【従来の技術】
図６は、本発明の背景技術であるワイヤハーネスの導通検査の様子を示す図である。ワイヤハーネスの中には、図６に示すように、先端部の接続構造が互いに共通するストレート型端子１Ａ，１Ｂ（これらを総称する場合には符号「１」を用いる）とＬ型端子３Ａ，３Ｂ（これらを総称する場合には符号「３」を用いる）とが、互いに近接して設けられる後述のハーネス端部Ｂ１，Ｂ２にそれぞれ接続されているものがある（例えば、二輪車用メインワイヤハーネスなど）。
【０００３】
図６のワイヤハーネスには少なくとも電線５，７，９，１１が備えられ、その電線５，７の一端部はコネクタＡ１に接続され、電線５，７の他端部にはストレート型端子１Ａ及びＬ型端子３Ａがそれぞれ接続されている。電線９，１１の一端部は電線１３を介してコネクタＡ２に接続され、電線９，１１の他端部にはストレート型端子１Ｂ及びＬ型端子３Ｂがそれぞれ接続されている。電線５及び電線９の他端部はチューブ１５に通されてまとめられており、電線７及び電線１１の他端部はチューブ１７に通されてまとめられている。そして、電線５及び電線９の他端部によって前記ハーネス端部Ｂ１が構成され、電線７及び電線１１の他端部によって前記ハーネス端部Ｂ２が構成され、これらのハーネス端部Ｂ１，Ｂ２は互いに近接した位置に設けられている。図６の構成では、電線５，７，９，１１は同一線径に設定されている。
【０００４】
このようなワイヤハーネスの導通検査は、ワイヤハーネスを導通検査図板上に設置し、ワイヤハーネスの各接続端部（Ａ１，Ａ２，１Ａ，１Ｂ，３Ａ，３Ｂ等）を検査図板上に設けられた対応する各導通検査治具２１，２３，２５，２７等に接続して行われる。より詳細には、コネクタＡ１は導通検査治具２１に接続され、コネクタＡ２は導通検査治具２３に接続され、ハーネス端部Ｂ１のストレート型端子１Ａ，１Ｂは導通検査治具２５に接続され、ハーネス端部Ｂ２のＬ型端子３Ａ，３Ｂは導通検査治具２７に接続される。
【０００５】
ここで、導通検査治具２５，２７は、接続対象のハーネス端部Ｂ１，Ｂ２が互いに近接して設けられていることに対応して、検査図板上に隣接配置されている。ハーネス端部Ｂ１，Ｂ２の各端子１Ａ，１Ｂ，３Ａ，３Ｂは、対応する導通検査治具２５，２７のタブ端子に嵌合接続される。
【０００６】
従来のストレート型端子用の導通検査治具２５は、図６に示されるように、Ｌ型端子用の導通検査治具２７と実質的に同一構造となっており、各導通検査治具２５，２７にはストレート型端子１及びＬ型端子３の双方が接続可能な構造となっている。
【０００７】
【発明が解決しようとする課題】
このため、従来のストレート型端子用の導通検査治具２５を用いた構成では、実質的に同一構造の導通検査治具２５，２７が隣接配置されているため、ハーネス端部Ｂ１，Ｂ２を誤って入れ違いに導通検査治具２５，２７に接続してしまうおそれがある。
【０００８】
このように誤った接続が行われた場合であっても、通常は各電線５，７，９，１１等ごとに順次導通検査を行ってゆくことにより、誤って接続が行われている電線、例えば電線５，７で導通不良となり、ハーネス端部Ｂ１，Ｂ２が誤って導通検査治具２５，２７に接続されていることが認識可能である。しかし、例えば、電線５，７のコネクタＡ１への接続位置（端子挿入位置）が誤って互いに入れ替わっていた場合において、ハーネス端部Ｂ１，Ｂ２が誤って入れ違いに導通検査治具２５，２７に接続された場合には、電線５，７についての導通検査において良好と判定されてしまい、電線５，７のコネクタＡ１への端子挿入位置が入れ替わってしまっていることが検出できない。
【０００９】
また、実質的に同一構造の導通検査治具２５，２７が隣接配置されているため、ハーネス端部Ｂ１，Ｂ２の接続を行う際にいずれの導通検査治具２５，２７に接続すべきか作業者が迷い、作業効率が低下する。
【００１０】
そこで、本発明は、Ｌ型端子が誤って接続されるのを確実に防止することができ、導通検査の信頼性及び作業効率の向上が図れるストレート型端子用の導通検査治具を提供することを目的とする。
【００１１】
【課題を解決するための手段】
前記目的を達成するための技術的手段は、先端部の接続構造が互いに共通するストレート型端子とＬ型端子とが、互いに近接して設けられるハーネス端部にそれぞれ接続されているワイヤハーネスに対して導通検査を行う際に用いられるストレート型端子用の導通検査治具であって、所定の基台部材に取り付けられる取付板と、前記取付板に固定され、前記ストレート型端子の前記先端部と嵌合接続される端子部と、前記取付板に固定され、前記端子部の周囲四方のうちの、仮に前記Ｌ型端子を前記端子部に接続しようとした場合における前記Ｌ型端子から延設される電線の延設方向を少なくとも外囲するように前記端子部の上方に向かって延設された枠部を有するカバー部材と、を備え、前記ストレート型端子を前記端子部に接続する場合には、前記ストレート型端子の前記枠部内への前記端子部と嵌合接続し得る位置までの挿入が許容される一方、前記Ｌ型端子を誤って前記端子部に接続しようとした場合には、前記Ｌ型端子の前記先端部に対して略直角方向に延設される前記電線が圧着されるその圧着部又はその圧着部に圧着された前記電線に前記枠部の上端部が当接し、それによって前記Ｌ型端子の前記枠部内への前記端子部と嵌合接続し得る位置までの挿入が阻害されることを特徴とする。
【００１２】
好ましくは、前記カバー部材の前記枠部は、前記端子部の周囲四方のうちの三方を外囲しているのがよい。
【００１３】
＜用語に関する記載＞
本発明において「Ｌ型端子」とは、後述する図５に示すように、他の端子との嵌合接続部の端部に圧着部が設けられ、その圧着部に前記嵌合接続部に対して略直角方向に延設される電線が圧着されるようになっている端子と、端子自体の形状が略Ｌ字型に屈曲（例えば、嵌合接続部と圧着部との間の部分で略Ｌ字型に屈曲）された端子とを含む概念である。
【００１４】
【発明の実施の形態】
図１は本発明の一実施形態に係るストレート型端子用の導通検査治具の側面図であり、図２は図１の導通検査治具の上面図である。この導通検査治具３１は、前述の図６に示すワイヤハーネス等の導通検査に用いられるものであり、図１及び図２に示すように、検査図板（基台部材）３２（図３参照）に取り付けられる取付板３３に固定されるタブ端子（端子部）３５Ａ，３５Ｂ（これらを総称する場合には符号「３５」を用いる）と、取付板３３に固定されるカバー部材３６とを備えている。取付板３３は、図３及び図４に示すように、ボルト等の固定具３２ａによって検査図板３２に固定される。
【００１５】
タブ端子３５Ａ，３５Ｂは、図１及び図２に示すようにその下端部が取付板３３の上端部から上方に突出するようにして取付板３３に所定間隔をあけて固定されており、その上端部に、図３に示すようにストレート型端子１の先端部が嵌合接続されるようになっている。
【００１６】
カバー部材３６は、樹脂等の絶縁材料で形成され、図１及び図２に示すように、例えば、上方から差し込まれるようにして取付板３３に装着され接着剤等によって取付板３３に固定される。このカバー部材３６の取付板３３から上方に突出する部分によって枠部３７が構成されている。枠部３７は、両端部端子３５の周囲四方のうちの、仮に前述のＬ型端子３を図５に示すようにタブ端子３５に接続しようとした場合におけるＬ型端子３から延設される電線７，１１の延設方向を少なくとも外囲するように（本実施形態では、電線７，１１の延設方向を含む三方を外囲するように）に設けられている。枠部３７と両タブ端子３５との間には、ストレート型端子１のタブ端子３５への嵌合接続のための所定の間隙が設けられている。
【００１７】
より具体的には、本実施形態では、枠部３７は、両タブ端子３５と平行に対向配置された板部３７ａと、その板部３７ａの両側縁部から両タブ端子３５側に向けて突設された突条部３７ｂ，３７ｃと、板部３７ａの中央部から両タブ端子３５の間を分割するように両タブ端子３５側に向けて突設された突条部３７ｄとを備えて構成されている。突条部３７ｂ〜３７ｄの板部３７ａからタブ端子３５側への突出高さは、突条部３７ａ〜３７ｃの突端部が両タブ端子３５を越えて突出するように設定される。したがって、両タブ端子３５の周囲四方のうちの一方（本実施形態では、作業者に面する方向）は図１に示すように開放されている。
【００１８】
また、枠部３７の上方側への突出高さ（本実施形態では、突条部３７ｂ〜３７ｄの上端部のタブ端子３５の上端からの高さ）は、図５に示すように、誤ってＬ型端子３が導通検査治具３１のタブ端子３５に接続される場合に、Ｌ型端子３がタブ端子３５に接続されるのを阻害するのに十分な値に設定されている。
【００１９】
このため、図３に示すように、ストレート型端子１をタブ端子３５に接続する場合には、ストレート型端子１の枠部３７内へのタブ端子３５と嵌合接続し得る位置までの挿入が許容され、挿入されたストレート型端子１がタブ端子３５と嵌合接続されるようになっている。
【００２０】
一方、図５に示すように、Ｌ型端子３を誤ってタブ端子３５に接続しようとした場合には、Ｌ型端子３の嵌合接続部である先端部４１に対して直角方向に延設される電線７，１１が圧着されるその圧着部４３又はその圧着部４３に圧着された電線７，１１に枠部３７の上端部（本実施形態では、突条部３７ｂ〜３７ｄの上端部）が当接し、それによってＬ型端子３の枠部３７内へのタブ端子３５と嵌合接続し得る位置までの挿入が阻害され、Ｌ型端子３とタブ端子３５との接続が阻害されるようになっている。
【００２１】
以上のように、本実施形態によれば、導通検査治具３１に設けられたカバー部材３６の枠部３７によって導通検査治具３１へのＬ型端子３の誤接続を確実に防止することができる。このため、先端部の接続構造が互いに共通するストレート型端子３とＬ型端子１とが、互いに近接して設けられるハーネス端部Ｂ１，Ｂ２にそれぞれ接続されているワイヤハーネス（図６参照）の導通検査において、Ｌ型端子３が接続される導通検査治具２７の隣に本実施形態に係る導通検査治具３１が隣接配置されている場合であっても、Ｌ型端子３が誤って導通検査治具３１に接続されるのを確実に防止することができる。これによって、ワイヤハーネスのストレート型端子１及びＬ型端子３が接続された電線５，７の反対側の端部が同一のコネクタＡ１に挿入されて接続されている場合に、その電線５，７の反対側の端部のコネクタ挿入位置の誤りを導通検査により確実に発見することができ、導通検査の信頼性の向上が図れる。
【００２２】
また、本発明に係る導通検査治具３１には、カバー部材３６が設けられているため、Ｌ型端子３が接続される他の導通検査治具２７と構造的に一見して識別でき、ワイヤハーネスの接続端子（１，３）の導通検査治具（２７，３１）への接続作業を効率よく行うことができ、導通検査の作業効率の向上が図れる。
【００２３】
さらに、カバー部材３６の枠部３７がタブ端子３５の周囲四方のうちの三方を外囲しているため、タブ端子３５の周囲四方のうちの一方向が開放されている。
このため、その枠部３７の開放された部分を介してタブ端子３５とストレート型端子１との接続状況を視認したり、タブ端子３５とストレート型端子１との接続及び接続の解除を補助したりすることができ、作業性の向上が図れる。
【００２４】
なお、本実施形態では、導通検査治具３１に２つのタブ端子３５が設けられた場合について説明したが、導通検査治具３１に１つ、又は３つ以上のタブ端子３５が設けられる場合についても同様に各タブ端子３５を外囲する枠部３７をカバー部材３６に設けることにより容易に適用できる。
【００２５】
【発明の効果】
請求項１に記載の発明によれば、導通検査治具に設けられたカバー部材の枠部によって導通検査治具へのＬ型端子の誤接続を確実に防止することができる。このため、先端部の接続構造が互いに共通するストレート型端子とＬ型端子とが、互いに近接して設けられるハーネス端部にそれぞれ接続されているワイヤハーネスの導通検査において、Ｌ型端子が接続される導通検査治具の隣に本発明に係るストレート型端子用の導通検査治具が隣接配置されている場合であっても、Ｌ型端子が誤ってストレート型端子用の導通検査治具に接続されるのを確実に防止することができる。これによって、ワイヤハーネスのストレート型端子及びＬ型端子が接続された電線の反対側の端部が同一のコネクタに挿入されて接続されている場合に、その電線の反対側の端部のコネクタ挿入位置の誤りを導通検査により確実に発見することができ、導通検査の信頼性の向上が図れる。
【００２６】
また、本発明に係るストレート型端子用の導通検査治具には、カバー部材が設けられているため、Ｌ型端子が接続される他の導通検査治具と構造的に一見して識別でき、ワイヤハーネスの接続端子の導通検査治具への接続作業を効率よく行うことができ、導通検査の作業効率の向上が図れる。
【００２７】
請求項２に記載の発明によれば、カバー部材の枠部が端子部の周囲四方のうちの三方を外囲しているため、端子部の周囲四方のうちの一方向が開放されている。このため、その枠部の開放された部分を介して端子部とストレート型端子との接続状況を視認したり、端子部とストレート型端子との接続及び接続の解除を補助したりすることができ、作業性の向上が図れる。
【図面の簡単な説明】
【図１】本発明の一実施形態に係るストレート型端子用の導通検査治具の側面図である。
【図２】図１の導通検査治具の上面図である。
【図３】図１の導通検査治具にストレート型端子を接続した状態を示す図である。
【図４】図１の導通検査治具にストレート型端子を接続した状態を示す図である。
【図５】図１の導通検査治具にＬ型端子を接続しようとした場合の様子を示す図である。
【図６】本発明の背景技術であるワイヤハーネスの導通検査の様子を示す図である。
【符号の説明】
１，１Ａ，１Ｂ　ストレート型端子
３，３Ａ，３Ｂ　Ｌ型端子
５，７，９，１１，１３　電線
１５，１７　チューブ
２１，２３，２５，２７　導通検査治具
３１　ストレート型端子用の導通検査治具
３３　取付板
３５Ａ，３５Ｂ　タブ端子
３６　カバー部材
３７　枠部
３７ａ　板部
３７ｂ〜３７ｄ　突条部
【図１】
2004061275.tif 000003
【図２】
2004061275.tif 000004
【図３】
2004061275.tif 000005
【図４】
2004061275.tif 000006
【図５】
2004061275.tif 000007
【図６】
2004061275.tif 000008